(57)【要約】【課題】製造が容易なキャップを安価に提供する。【解決手段】内容物を吐出口より外部へ吐出する容器にあって、その吐出口を被って容器のキャップ嵌合部に取り付けるキャップ１３において、その内面に、中心に向かって起立し、かつ、内周方向に変形する弾性片部１６を一体成形して設ける。そして、容器にキャップ１３を取り付けるとき、キャップ嵌合部に当てて弾性片部１６をキャップ１３の内周方向に撓ませて取り付ける。【選択図】        図２
2004210381.tif 000002
【特許請求の範囲】
【請求項１】
内容物を吐出口より外部へ吐出する容器にあって、その吐出口を被って前記容器のキャップ嵌合部に取り付けるキャップにおいて、
内面に、中心に向かって起立し、かつ、内周方向に変形する弾性片部を一体成形して設けることを特徴とする、キャップ。
【請求項２】
前記弾性片部の開口側の端縁を頂部に向かって傾斜して設けることを特徴とする、請求項１に記載のキャップ。
【請求項３】
前記弾性片部を側部の周方向に傾けて設けることを特徴とする、請求項１に記載のキャップ。
【請求項４】
請求項１ないし３のいずれか１に記載のキャップを備えることを特徴とする、容器。
【請求項５】
前記キャップ嵌合部が、上部小径部と、キャップ嵌合部と、これらの間にあって、前記キャップを取り付けるとき、当てて前記弾性片部を撓ませる傾斜部とを備えることを特徴とする、請求項４に記載の容器。
【発明の詳細な説明】
【０００１】
【発明の属する技術分野】
この発明は、内容物を吐出口より外部へ吐出する容器にあって、その吐出口を被って容器のキャップ嵌合部に取り付けるキャップおよびそのキャップを備える容器に関する。
【０００２】
【従来の技術】
従来の容器は、容器のキャップ嵌合部に突部を形成し、吐出口を被うようにキャップをキャップ嵌合部の突部に直接嵌め付けて取り付けていた。
【０００３】
しかし、このような従来の容器は、キャップ嵌合部に突部を形成して、その突部にキャップの開口を直接嵌め付けるので、キャップの開口の内径寸法やキャップ嵌合部の外径寸法などの公差を小さく設定して製品管理を厳しくしなければならず、容器の製造に手間がかかるという問題があった。そこで、このような問題を解決すべく、次のような文献が開示されている。
【０００４】
【特許文献１】
実開昭５６−１７２５５４号公報
【０００５】
この文献に開示されている容器は、一体成形により、キャップ１の開口の端部１ａに沿って、図４に示すような隙間２を形成して、キャップ１を容器のキャップ嵌合部３に嵌合させて取り付ける。したがって、キャップ嵌合部３の外径寸法やキャップ１の内径寸法の公差を大きくして製造しても、その公差を隙間２で調整することができ、製品管理を厳しくする必要がない。
【０００６】
また、次のような別の文献が開示されている。
【０００７】
【特許文献２】
実開平６−２０２５７号公報
【０００８】
この文献に開示されている容器は、図５に示すように、キャップ５を外部材６と内部材７とで構成し、外部材６に内部材７を圧入して嵌め合わせる。この内部材７には、内部材７から切り起されてキャップ５の内側に向かって弾発力をもった突部７ａを備える。このように構成されたキャップ５をキャップ嵌合部８に嵌め合わせて取り付ける。
【０００９】
このとき、突部７ａがキャップ嵌合部８に弾発力をもって当接するので、キャップ嵌合部８の外径寸法やキャップ５の内径寸法の公差を大きくして製造しても、その公差を突部７ａで調整することができ、製品管理を厳しくする必要がない。
【００１０】
【発明が解決しようとする課題】
しかし、上記特許文献１に示すようなキャップ１を製造するには、複雑な形状の隙間２をキャップ１の開口の端部１ａに沿って一体成形で形成するため、成形型が複雑となってコストアップとなってしまうという問題がある。
【００１１】
一方、上記特許文献２に示すようなキャップ５を製造するには、外部材６と内部材７を別個に製造して、両者を圧入して嵌め合せるので、製造工程が増えてしまうという問題がある。
【００１２】
そこで、この発明の目的は、製造が容易なキャップを安価に提供することにある。
【００１３】
【課題を解決するための手段】
そのため、請求項１に記載の発明は、内容物を吐出口より外部へ吐出する容器にあって、その吐出口を被って前記容器のキャップ嵌合部に取り付けるキャップにおいて、内面に、中心に向かって起立し、かつ、内周方向に変形する弾性片部を一体成形して設けることを特徴とする。
【００１４】
請求項２に記載の発明は、請求項１に記載のキャップにおいて、前記弾性片部の開口側の端縁を頂部に向かって傾斜して設けることを特徴とする。
【００１５】
請求項３に記載の発明は、請求項１に記載のキャップにおいて、前記弾性片部を側部の周方向に傾けて設けることを特徴とする。
【００１６】
請求項４に記載の発明は、容器において、請求項１ないし３のいずれか１に記載のキャップを備えることを特徴とする。
【００１７】
請求項５に記載の発明は、請求項４に記載の容器において、前記キャップ嵌合部が、上部小径部と、キャップ嵌合部と、これらの間にあって、前記キャップを取り付けるとき、当てて前記弾性片部を撓ませる傾斜部とを備えることを特徴とする。
【００１８】
【発明の実施の形態】
以下、図面を参照しつつ、この発明の実施の形態につき説明する。図１は、この発明のキャップを備える容器の一例としてのポンプ式容器の全体図である。
【００１９】
この例のポンプ式容器は、ボトル形状の容器本体１２を樹脂や金属などで製造し、その容器本体１２の上部開口をわずかに絞って雄ねじを設ける。
【００２０】
その雄ねじに嵌合する雌ねじを備えるアダプタ１１を容器本体１２の上からねじ込んで取り付ける。そのアダプタの内側には、下部に吸込管を取り付けたシリンダを備え、そのシリンダの上には、先端がアダプタ１１の上に突出するようにステムを備える。そのステムに噴出口（吐出口）１０ａを備える噴出ボタン１０を取り付けてポンプとする。
【００２１】
そして、ポンプの上から噴出ボタン１０の噴出口１０ａを被ってキャップ１３をポンプのアダプタ１１に取り付ける。なお、容器本体１２内には、化粧水などの内容物を収容する。
【００２２】
そして、使用時は、キャップ１３を取り外して噴出ボタン１０を押し下げることにより、ステムを押し込む。すると、シリンダ内の圧力が高まり、シリンダ内に予め吸い上げられている内容物を噴出ボタン１０の噴出口１０ａから外部へ噴出（吐出）する。
【００２３】
不使用時は、噴出ボタン１０の噴出口１０ａを被って、後述するようにキャップ１３をアダプタ１１のキャップ嵌合部１１ｂに取り付ける。
【００２４】
ところで、アダプタ１１は、上部小径部１１ａと、その上部小径部１１ａより外径寸法の大きいキャップ嵌合部１１ｂを備え、これらの間にあって、両者を連続的に繋ぐように傾斜部１１ｃを備えて一体成形してなる。したがって、この傾斜部１１ｃは、アダプタ１１の上部から下部に向かって連続的に外径寸法が大きくなるように形成されている。
【００２５】
図２（ａ）には、キャップ１３を開口１３ａ側より見た図、図２（ｂ）には、そのＡ−Ａ矢視断面における縦断面図を示す。キャップ１３は、円筒状の側部１４と円盤状の頂部１５とからなり、側部１４の内面１４ａには、キャップ１３の中心に向かって起立する弾性片部１６を、内周と直交する方向に設ける。なお、側部１４、頂部１５、弾性片部１６は、一体成形で形成するものとする。
【００２６】
この弾性片部１６は、矩形の板状で、一方の短辺１６ａを頂部１５と一体に形成し、一方の長辺１６ｂを側部１４と一体に形成してなるとともに、他方の短辺（端縁）１６ｃと長辺１６ｄとを自由端とする。
【００２７】
そして、キャップ１３の開口１３ａ側の短辺１６ｃを、キャップ１３の頂部１５に向かって傾斜して設ける。
【００２８】
このように形成された弾性片部１６を、キャップ１３の側部１４の周方向に傾けて、均等間隔に４つ設ける。
【００２９】
このように構成されたキャップ１３を容器本体１２に取り付けるときは、図１に示すように、キャップ１３の開口１３ａをキャップ嵌合部１１に向けて矢印のように被せる。
【００３０】
すると、４つの弾性片部１６の短辺１６ｃがそれぞれアダプタ１１の傾斜部１１ｃに当たり変形して撓み始める。さらに、キャップ１３をアダプタ１１に押し込むと、短辺１６ｃが傾斜部１１ｃの表面に沿って上部小径部１１ａより外径寸法の大きいキャップ嵌合部１１ｂに容易に導かれて、図３に示すように、弾性片部１６がキャップ１３の内周方向にさらに変形して撓む。その反力によって、それぞれの弾性片部１６がアダプタ１１を弾性的に押さえ付けて、キャップ１３を容器本体１２に取り付けることができる。なお、図３では、アダプタ１１の内部は、図示省略している。
【００３１】
このように、この例のキャップ１３は、弾性片部１６が撓んでキャップ嵌合部１１ｂの外径に当接するので、キャップ嵌合部１１ｂの外径寸法や、キャップ１３の側部１４の内径寸法の公差を厳しく設定する必要がない。
【００３２】
なお、弾性片部１６を、側部１４の内周方向に傾けて設けたが、この発明はこれに限定されるものではなく、傾けずに中心に向かって起立するように設けてもよい。
【００３３】
また、この例では、弾性片部１６を、キャップ１３の側部１４の内周方向に傾けて、均等間隔に４つ設けたが、この発明はこれに限定されるものではなく、キャップ１３の側部１４の内周方向に傾けて、均等間隔または不均等間隔にいくつ設けてもよい。
【００３４】
さらに、この例では、ポンプ式容器について説明したが、この発明はこれに限定されるものではなく、容器の内容物に噴射剤として液化ガスを溶解し、吐出口より外部に向かって内容物を噴射するエアゾール式容器や、容器を手で押して変形させることによって収容されたペースト状、ジェル状などの内容物を吐出口より外部へ押出す押出式容器など、内容物を吐出口より外部へ吐出するあらゆる容器に適用し得る。
【００３５】
【発明の効果】
したがって、本発明によれば、キャップの内面に、中心に向かって起立し、かつ、内周方向に変形する弾性片部を一体成形して設けるので、キャップの係合部の寸法の公差を厳しく設定する必要がなく、製造が容易なキャップを安価に提供することができる。
【００３６】
請求項２に記載の発明によれば、弾性片部の開口側の端縁を頂部に向かって傾斜して設けるので、キャップをアダプタに取り付ける際に、弾性片部の端縁の角が、アダプタのキャップ嵌合部に引っかかることなく、容易に容器本体にキャップを取り付けることができる。
【００３７】
請求項３に記載の発明によれば、弾性片部を側部の周方向に傾けて設けるので、キャップ嵌合部を弾性片部に当てたとき、弾性片部が撓みやすく、容易に容器本体にキャップを取り付けることができる。
【００３８】
請求項４に記載の発明によれば、容器が、請求項１ないし３のいずれか１に記載のキャップを備えるので、上述したそれぞれの効果を達成するキャップを備えた容器を提供することができる。
【００３９】
請求項５に記載の発明によれば、キャップ嵌合部が、上部小径部と、キャップ嵌合部と、これらの間にあって、前記キャップを取り付けるとき、当てて前記弾性片部を撓ませる傾斜部とを備えるので、弾性片部を容易に撓ませて、容易に容器本体にキャップを取り付けることができる。
【図面の簡単な説明】
【図１】この発明の容器の一例としてのポンプ式の噴出器の概略説明図である。
【図２】その容器に備えるキャップの（ａ）は、開口側より見た図、（ｂ）は、縦断面図である。
【図３】その容器に備えるキャップを容器本体に取り付けたときの状態を説明する図である。
【図４】従来のキャップを備える容器の要部説明図である。
【図５】従来の別のキャップを備える容器の概略説明図である。
【符号の説明】
１０    噴出ボタン
１０ａ    噴出口（吐出口）
１１    アダプタ
１１ａ    上部小径部
１１ｂ    キャップ嵌合部
１１ｃ    傾斜部
１２    容器本体
１３    キャップ
１３ａ    開口
１４    側部
１４ａ    内面
１５    頂部
１６    弾性片部
１６ｃ    短辺（端縁）
１６ｂ，１６ｄ    長辺
ＣＬ    中心軸
【図１】
2004210381.tif 000003
【図２】
2004210381.tif 000004
【図３】
2004210381.tif 000005
【図４】
2004210381.tif 000006
【図５】
2004210381.tif 000007